(57)【要約】【課題】  背面投射方式とフロント投射方式とが切り換えられると共に、背面投射方式ときもフロント投射方式のときも同一方向に表示されるようにした投射型表示システムを提供する。【解決手段】  透過型スクリーン３と反射型スクリーン５との間に、光路選択部９が設けられる。背面投射方式に設定すると、透過型スクリーン３に光が向かうように、前上方に光路が設定され、フロント投射方式のときには、反射型スクリーン５に光が向かうように、後上方に光路が設定される。フロント投射方式でも背面投射方式でも、画面が同方向になり、視聴者１０は、同一方向から画像を見ることができる。映画等は、フロント投射方式に設定して、大画面で楽める。ニュース等は、背面投射方式に設定して、周囲を暗くすることなく、番組を楽める。【選択図】        図２
2006133273.tif 000002
【特許請求の範囲】
【請求項１】
画像光を投射するプロジェクタと、
前記プロジェクタからの光を前面から投射して映像を映し出す反射型スクリーンと、
前記反射型スクリーンの前方に配置され、前記プロジェクタからの光を背面から投射して映像を映し出す投射型スクリーンと、
前記反射型スクリーンと前記投射型スクリーンとの間で、前記プロジェクタからの光路を選択的に変更させ、前記プロジェクタからの光を前記反射型スクリーン又は前記投射型スクリーンに向けて導く光路選択手段とを有し、
前記光路選択手段により選択的に光路変更させて、フロント投射方式と背面投射方式とに切り換えるようにしたことを特徴とする投射型表示システム。
【請求項２】
画像光を投射するプロジェクタと、
前記プロジェクタからの光を前面から投射して映像を映し出す反射型スクリーンと、
前記反射型スクリーンの前方に配置され、前記プロジェクタからの光を背面から投射して映像を映し出す投射型スクリーンと、
前記反射型スクリーンと前記投射型スクリーンとの間で、前記プロジェクタの方向を選択的に回転させ、前記プロジェクタからの光を前記反射型スクリーン又は前記投射型スクリーンに向けて投射するプロジェクタ回転手段とを有し、
前記プロジェクタ回転手段により選択的に光路変更させて、フロント投射方式と背面投射方式とに切り換えるようにしたことを特徴とする投射型表示システム。
【請求項３】
前記反射型スクリーンは、一体化されて取り付けられるようにしたことを特徴とする請求項１又は２に記載の投射型表示システム。
【請求項４】
前記反射型スクリーンを本体とを別体とするようにしたことを特徴とする請求項１又は２に記載の投射型表示システム。
【請求項５】
前記反射型スクリーンは、前記透過型スクリーンより大きいものを用いるようにしたことを特徴とする請求項１又は２に記載の投射型表示システム。
【請求項６】
前記フロント投射方式と前記背面投射方式の選択は、リモートコントローラで行うようにしたことを特徴とする請求項１又は２に記載の投射型表示システム。
【請求項７】
前記背面投射方式に設定したときに、前記投射型スクリーンが露呈されるように制御するようにしたことを特徴とする請求項１又は２に記載の投射型表示システム。
【請求項８】
前記フロント投射方式に設定したときに、前記反射型スクリーンが露呈されるように制御するようにしたことを特徴とする請求項１又は２に記載の投射型表示システム。
【請求項９】
前記背面投射方式に設定したときと前記フロント投射方式に設定したときに応じて、フォーカス及びズームのパラメータを調整するようにしたことを特徴とする請求項１又は２に記載の投射型表示システム。
【請求項１０】
前記フォーカス及びズームのパラメータの調整は、工場出荷時に設定、保存されており、また、任意に調整、保存が変更できるようにしたことを特徴とする請求項９に記載の投射型表示システム。
【請求項１１】
前記背面投射方式に設定したときと前記フロント投射方式に設定したときに応じて、アスペクト比を変更するようにしたことを特徴とする請求項１又は２に記載の投射型表示システム。
【請求項１２】
前記背面投射方式に設定したときにはアスペクト比を（４：３）に設定し、前記フロント投射方式に設定したときにはアスペクト比を（１６：９）に設定するようにしたことを特徴とする請求項１１に記載の投射型表示システム。
【請求項１３】
前記アスペクト比は、工場出荷時に設定、保存されており、また、任意に調整、保存が変更できるようにしたことを特徴とする請求項１１に記載の投射型表示システム。
【請求項１４】
前記背面投射方式に設定したときと前記フロント投射方式に設定したときに応じて、光量の調整を行うようにしたことを特徴とする請求項１又は２に記載の投射型表示システム。
【請求項１５】
前記光量のパラメータの調整は、工場出荷時に設定、保存されており、また、任意に調整、保存が変更できるようにしたことを特徴とする請求項１４に記載の投射型表示システム。
【請求項１６】
前記光量の調整は、光量の異なる複数のランプを切り換えて行うようにしたことを特徴とする請求項１４に記載の投射型表示システム。
【請求項１７】
前記光量の調整は、１つのランプの光量を切り換えて行うようにしたことを特徴とする請求項１４に記載の投射型表示システム。
【請求項１８】
前記光量の調整は、複数のランプをミキシングして行うようにしたことを特徴とする請求項１４に記載の投射型表示システム。
【請求項１９】
前記背面投射方式に設定したときと前記フロント投射方式に設定したときに応じて、色、輝度の調整を行うようにしたことを特徴とする請求項１又は２に記載の投射型表示システム。
【請求項２０】
前記色、輝度のパラメータの調整は、工場出荷時に設定、保存されており、また、任意に調整、保存が変更できるようにしたことを特徴とする請求項１９に記載の投射型表示システム。
【発明の詳細な説明】
【技術分野】
【０００１】
本発明は、反射型のスクリーンと透過型のスクリーンとに選択的に画像を表示できる投射型表示システムに関する。
【背景技術】
【０００２】
液晶パネルにより生成した画像をスクリーン上に投射する投射型表示装置には、反射型スクリーンの前面から投射を行うフロント投射方式のものと、透過型のスクリーンに背面から投射を行う背面投射方式のものとがある。フロント投射方式は、映画のように、大画面で迫力のある画像を表示するのに好適であるが、鮮明な画像を映し出すためには、周囲を暗くする必要があり、手軽に映像再生を楽しむことが難しい。これに対して、背面投射方式のものは、フロント投射方式に比べて、大画面の画像を映出することは難しいが、周囲を暗くしなくても鮮明な画像が映出でき、ニュースやバラエティ番組を映出するのに好適である。
【０００３】
このように、フロント投射方式と背面投射方式にはそれぞれ特徴があり、映画のような大画面で迫力のある映像を映出するにはフロント投射方式の方が好ましく、ニュースやバラエティ番組を手軽に楽しむには、背面投射方式の方が好ましい。
【０００４】
そこで、１つの投射型表示装置で、フロント投射方式と背面投射方式の双方が使用できるようにしたものが要望される。
【０００５】
１つの投射型表示装置で、フロント投射方式と背面投射方式の双方が使用できるようにしたものとしては、従来、特許文献１及び特許文献２に示されるものが提案されている。特許文献１は、ミラーを回転させて光路を変更させて、フロント投射方式と背面投射方式とに切り換えられるようにしたものである。特許文献２は、ハーフミラーを用いて、フロント投射方式の画像と背面投射方式の画像とを同時に表示できるようにしたものである。
【特許文献１】特開平４−３６６９３６号公報
【特許文献２】特開２００１−９４９０５号公報
【発明の開示】
【発明が解決しようとする課題】
【０００６】
特許文献１の投射型表示装置では、フロント投射方式と背面投射方式とを選択的に切り換えることができる。ところが、特許文献１のものでは、背面投射方式で投射したときの画像と、フロント投射方式で投射したときの画像とが相対向する向きになる。このため、フロント投射方式から背面投射方式に切り換えたときに、視聴者が後ろ向きに振り返るか、又は、表示装置全体の方向を回転させる必要がある。
【０００７】
また、特許文献２に示されている投射型表示装置は、フロント投射方式の画像と背面投射方式の画像とを同時に表示するものであり、フロント投射方式と背面投射方式とを選択的に切り換えるものではない。
【０００８】
本発明は、上述の従来の課題を鑑み、背面投射方式とフロント投射方式とが選択的に切り換えられると共に、背面投射方式のときの画像と、フロント投射方式のときの画像とが同一方向に表示されるようにした投射型表示システムを提供することを目的とする。
【課題を解決するための手段】
【０００９】
請求項１の発明は、投射型プロジェクタにおいて、画像に対応する光を投射するプロジェクタと、プロジェクタからの光を前面から投射して映像を映し出す反射型スクリーンと、反射型スクリーンの前方に配置され、プロジェクタからの光を背面から投射して映像を映し出す投射型スクリーンと、反射型スクリーンと投射型スクリーンとの間で、プロジェクタからの光路を選択的に変更させ、プロジェクタからの光を反射型スクリーン又は投射型スクリーンに向けて導く光路選択手段とを有し、光路選択手段により選択的に光路変更させて、フロント投射方式と背面投射方式とに切り換えるようにしたことを特徴とする。
【００１０】
請求項２の発明は、投射型プロジェクタにおいて、画像に対応する光を投射するプロジェクタと、プロジェクタからの光を前面から投射して映像を映し出す反射型スクリーンと、反射型スクリーンの前方に配置され、プロジェクタからの光を背面から投射して映像を映し出す投射型スクリーンと、反射型スクリーンと投射型スクリーンとの間で、プロジェクタの方向を選択的に回転させ、プロジェクタからの光を反射型スクリーン又は投射型スクリーンに向けて投射するプロジェクタ回転手段とを有し、プロジェクタ回転手段により選択的に光路変更させて、フロント投射方式と背面投射方式とに切り換えるようにしたことを特徴とする。
【００１１】
請求項３の発明では、反射型スクリーンは、一体化されて取り付けられるようにしたことを特徴とする。
【００１２】
請求項４の発明では、反射型スクリーンを本体とを別体とするようにしたことを特徴とする。
【００１３】
請求項５の発明では、反射型スクリーンは、透過型スクリーンより大きいものを用いるようにしたことを特徴とする。
【００１４】
請求項６の発明では、フロント投射方式と背面投射方式の選択は、リモートコントローラで行うようにしたことを特徴とする。
【００１５】
請求項７の発明では、背面投射方式に設定したときに、投射型スクリーンが露呈されるように制御するようにしたことを特徴とする。
【００１６】
請求項８の発明では、フロント投射方式に設定したときに、反射型スクリーンが露呈されるように制御するようにしたことを特徴とする。
【００１７】
請求項９の発明では、背面投射方式に設定したときとフロント投射方式に設定したときに応じて、フォーカス及びズームのパラメータを調整するようにしたことを特徴とする。
【００１８】
請求項１０の発明では、フォーカス及びズームのパラメータの調整は、工場出荷時に設定、保存されており、また、任意に調整、保存が変更できるようにしたことを特徴とする。
【００１９】
請求項１１の発明では、背面投射方式に設定したときとフロント投射方式に設定したときに応じて、アスペクト比を変更するようにしたことを特徴とする。
【００２０】
請求項１２の発明では、背面投射方式に設定したときにはアスペクト比を（４：３）に設定し、フロント投射方式に設定したときにはアスペクト比を（１６：９）に設定するようにしたことを特徴とする。
【００２１】
請求項１３の発明では、アスペクト比は、工場出荷時に設定、保存されており、また、任意に調整、保存が変更できるようにしたことを特徴とする。
【００２２】
ロント投射方式に設定したときに応じて、光量の調整を行うようにしたことを特徴とする。
【００２３】
請求項１５の発明では、光量のパラメータの調整は、工場出荷時に設定、保存されており、また、任意に調整、保存が変更できるようにしたことを特徴とする。
【００２４】
請求項１６の発明では、光量の調整は、光量の異なる複数のランプを切り換えて行うようにしたことを特徴とする。
【００２５】
請求項１７の発明では、光量の調整は、１つのランプの光量を切り換えて行うようにしたことを特徴とする。
【００２６】
請求項１８の発明では、光量の調整は、複数のランプをミキシングして行うようにしたことを特徴とする。
【００２７】
請求項１９の発明では、背面投射方式に設定したときとフロント投射方式に設定したときに応じて、色、輝度の調整を行うようにしたことを特徴とする。
【００２８】
請求項２０の発明では、色、輝度のパラメータの調整は、工場出荷時に設定、保存されており、また、任意に調整、保存が変更できるようにしたことを特徴とする。
【発明の効果】
【００２９】
本発明によれば、背面投射方式とフロント投射方式とが選択的できる。これにより、例えば、映画を見るような場合には、フロント投射方式に設定して、大画面で迫力ある画像を楽しむことができる。また、ニュースやバラエティ番組を見る場合には、背面投射方式に設定して、周囲を暗くすることなく、手軽に番組を楽しむことができる。
【００３０】
また、本発明では、透過型スクリーンと反射型スクリーンとの間に、光路選択部が設けられている。又は、透過型スクリーンと反射型スクリーンとの間で、プロジェクタの方向が回転される。そして、背面投射方式に設定すると、透過型スクリーンに光が向かうように、前上方に光路が設定され、フロント投射方式のときには、反射型スクリーンに光が向かうように、後上方に光路が設定される。このように構成すると、フロント投射方式に設定したときに透過型スクリーンに映出される画面も、背面投射方式に設定したときに反射型スクリーンに映出される画面も、視聴者からは同方向になる。このため、視聴者は、背面投射方式のときにも、フロント投射方式のときにも、同一方向から画像を見ることができ、視聴者が振り返ったり、装置の位置を変更したりする必要はない。
【発明を実施するための最良の形態】
【００３１】
以下、本発明の実施の形態について図面を参照しながら説明する。本発明が適用された投射型表示システムでは、フロント投射方式と背面投射方式とを選択的に切り換えることができる。図１は、本発明の第１の実施形態を示し、図１（Ａ）は、背面投射方式に設定したときの状態を示し、図１（Ｂ）は、フロント投射方式に設定したときの状態を示す。
【００３２】
図１（Ａ）及び図１（Ｂ）において、箱体１の上面には、箱体２が昇降自在に配設され、この箱体２には、透過型スクリーン３が取り付けられる。箱体２の上面には、出射開口４が開閉自在に設けられる。箱体１の後側面には、反射型スクリーン５が伸縮自在に取り付けられる。なお、この例では、反射型スクリーン５は、本体と一体化されている。
【００３３】
透過型スクリーン３は、背面投射方式に設定したときに、その背面から投射された光により、画面を映出するものである。反射型スクリーン５は、フロント投射方式に設定したときに、その前面から投射された光により、画面を映出するものである。映画等を迫力ある大画面で見ることができるように、反射型スクリーン５は透過型スクリーン３より大きいものが用いられる。透過型スクリーン３は、例えば、２５インチ程度の大きさであり、反射型スクリーン５は、例えば、８０インチ程度の大きさである。
【００３４】
また、箱体１内には、図２（Ａ）及び図２（Ｂ）に示すように、プロジェクタ８と、光路選択部９とが設けられる。この光路選択部９により、背面投射方式に設定したとき（図２（Ａ））と、フロント投射方式に設定したとき（図２（Ｂ））とに応じて、プロジェクタ８からの光路が選択的に切り換えられる。
【００３５】
背面投射方式の状態では、図１（Ａ）に示すように、箱体２が上方に移動されて透過型スクリーン３が露呈され、反射型スクリーン５が収納され、出射開口４が閉塞される。更に、図２（Ａ）に示すように、プロジェクタ８からの光が透過型スクリーン３に向かうように、光路選択部９により光路が設定される。これにより、図２（Ａ）に示すように、プロジェクタ８からの光が光路選択部９を介して透過型スクリーン３の背面に投射され、透過型スクリーン３に画像が映出される。
【００３６】
フロント投射方式に切り換えると、図１（Ｂ）に示すように、箱体２が下げられ、透過型スクリーン３が収納されて反射型スクリーン５が上方に引き延ばされ、出射開口４が開放される。更に、図２（Ｂ）に示すように、プロジェクタ８からの光が出射開口４から出射されて反射型スクリーン５に向かうように、光路選択部９により光路が設定される。これにより、図２（Ｂ）に示すように、プロジェクタ８からの光が光路選択部９、出射開口４を介して、反射型スクリーン５の前面に投射され、反射型スクリーン５に画像が映出される。
【００３７】
以上のように、本発明の第１の実施形態の投射型表示システムでは、背面投射方式とフロント投射方式とが選択的できる。これにより、例えば、映画を見るような場合には、フロント投射方式に設定して、大画面で迫力ある画像を楽しむことができる。また、ニュースやバラエティ番組を見る場合には、背面投射方式に設定して、周囲を暗くすることなく、手軽に番組を楽しむことができる。
【００３８】
また、本発明の第１の実施形態の投射型表示システムでは、透過型スクリーン３と反射型スクリーン５との間に、光路選択部９が設けられている。そして、背面投射方式に設定すると、透過型スクリーン３に光が向かうように、前上方に光路が設定され、フロント投射方式のときには、反射型スクリーン５に光が向かうように、後上方に光路が設定される。このように、透過型スクリーン３と反射型スクリーン５との間に光路選択部９が設けられていると、フロント投射方式で透過型スクリーン３に映出される画面も、背面投射方式で反射型スクリーン５に映出される画面も、視聴者１０からは同方向になる。このため、図２（Ａ）及び図２（Ｂ）に示すように、視聴者１０は、背面投射方式のときにも、フロント投射方式のときにも、同一方向から画像を見ることができ、視聴者が振り返ったり、装置の位置を変更したりする必要はない。
【００３９】
次に、本発明の第１の実施形態の投射型表示システムについて詳述する。図３（Ａ）及び図３（Ｂ）は、本発明の第１の実施形態の投射型表示システムの箱体１内の詳細を示すものである。図３（Ａ）は、背面投射方式に設定したときの状態を示し、図３（Ｂ）は、フロント投射方式に設定したときの状態を示す。
【００４０】
図３（Ａ）及び図３（Ｂ）に示すように、箱体１内には、プロジェクタ８、ミラー１１、ミラー１２が配設される。ミラー１１、ミラー１２は、図２における光路選択部９に対応するものである。ミラー１２は、図４に示すように、回動自在のミラー制御ボード１３上に取り付けられる。
【００４１】
また、図３において、箱体１内には、箱体２を上下に移動させて透過型スクリーン３を上下させる透過型スクリーン移動モータ２１及び２５と、ミラー制御ボード１３を回動させてミラー１２を移動させるミラー制御モータ２２（図３（Ｂ））と、出射開口４を開閉させる開閉モータ２３と、反射型スクリーン５を上下させる反射型スクリーン移動モータ２４とが設けられる。
【００４２】
また、プロジェクタ８のフォーカス／ズームを調整するフォーカス／ズーム調整モータ２６や、プロジェクタ８の光源を切り換える光源切換モータ２７や、ミラー１１の角度を調整するためのミラー調整モータ２８が設けられる。
【００４３】
図５は、本発明の第１の実施形態の投射型表示システムの構成を示すブロック図である。図５において、チューナ部５１は、アンテナ５２で受信したテレビジョン信号から所望の信号を選択し、このテレビジョン信号をデコードして、映像信号及び音声信号を出力する。チューナ部５１の出力信号は、選択部５４に供給される。
【００４４】
ＤＶＤ(Digital Versatile Disc)プレーヤ５３は、装着されたＤＶＤディスクの信号を読み取り、再生信号をデコードして、映像信号及び音声信号を出力する。ＤＶＤプレーヤ５３の出力信号は、選択部５４に供給される。
【００４５】
選択部５４はソース切り換えスイッチである。選択部５４の出力信号は、画像音声処理部５５に送られる。画像音声処理部５５で、映像信号及び音声信号に対して、画質調整や音質調整等、信号処理が施される。また、画像音声処理部５５は、例えば（４：３）から（１６：９）へのアスペクト比の変換、或いは、（１６：９）から（４：３）へのアスペクト比の変換を行うアスペクト比変換部５６を含んでいる。
【００４６】
画像音声処理部５５からの映像信号は、プロジェクタ８に送られる。プロジェクタ８からは、入力された映像信号に応じた画像光が出力される。
【００４７】
なお、チューナ部５１やＤＶＤプレーヤ５３は、箱体１内に内蔵するようにしても良いし、別体としても良い。また、チューナ部５１のみを箱体１に内蔵し、ＤＶＤプレーヤ５３をインターフェースを介して外付けするようにしても良い。また、ソースとなる機器は、チューナやＤＶＤプレーヤの他、ＶＴＲ(Video Tape Recorder)等の他の映像機器でも良い。また、スピーカ６０は、機器と一体化するようにしても良いし、外付けするようにしても良い。
【００４８】
制御部６１は、装置全体の制御を行っている。制御部６１には、赤外線リモートコントローラ６２から、受光部６３を介して、コマンド信号が送られる。この赤外線リモートコントローラ６２からのコマンド信号により、チャンネルの切り換え、ソースの切り換え、音量の設定ができると共に、背面投射方式とフロント投射方式との切り換えが行える。
【００４９】
赤外線リモートコントローラ６２の操作により、背面投射方式とフロント投射方式とに切り換えられると、制御部６１からは、透過型スクリーン３を上下させる制御信号Ｓ１、Ｓ５、ミラー１２を移動させる制御信号Ｓ２、出射開口４を開閉させる制御信号Ｓ３、反射型スクリーン５を上下に動かす制御信号Ｓ４、フォーカス／ズーム調整を行うための制御信号Ｓ６、光源を切り替えるための制御信号Ｓ７、ミラー１１の角度を調整するための制御信号Ｓ８、アスペクト比を切り換えるための制御信号Ｓ９、画質（色、輝度）や音質を調整するための制御信号Ｓ１０が出力される。
【００５０】
制御信号Ｓ１、Ｓ５は、ドライバ７１、７５を介して、透過型スクリーン移動モータ２１、２５に供給される。制御信号Ｓ２は、ドライバ７２を介して、ミラー制御モータ２２に供給される。制御信号Ｓ３は、ドライバ７３を介して、開閉モータ２３に供給される。制御信号Ｓ４は、ドライバ７４を介して、反射型スクリーン移動モータ２４に供給される。制御信号Ｓ６は、ドライバ７６を介して、フォーカス／ズーム調整モータ２６に供給される。制御信号Ｓ７は、ドライバ７７を介して、光源切換モータ２７に供給される。制御信号Ｓ８は、ドライバ７８を介して、ミラー調整モータ２８に供給される。制御信号Ｓ９は、画像音声処理部５５に供給される。制御信号Ｓ１０は、画像音声処理部５５に供給される。
【００５１】
また、メモリ６４には、予め工場出荷時に、背面投射方式に設定したとき及びフロント投射方式に設定したときの最適なフォーカス／ズーム調整量、画質（色、輝度）や音質調整量等、アスペクト比等、各種の調整データが記憶されている。
【００５２】
ユーザが赤外線リモートコントローラ６２を操作して、背面投射方式又はフロント投射方式に設定すると、赤外線リモートコントローラ６２からコマンド信号が出力され、このコマンド信号が受光部６３を介して、制御部６１に送られる。制御部６１からは、背面投射方式に設定するかフロント投射方式に設定するかに応じて、制御信号Ｓ１〜Ｓ１０が出力される。これにより、モータ２１〜２７、画像音声処理部５５が制御され、背面投射方式又はフロント投射方式への設定が行われる。
【００５３】
つまり、図３に示したように、箱体１内には、制御信号Ｓ１及びＳ５に基づいて箱体２に取り付けられた透過型スクリーン３を上下に動かす透過型スクリーン移動モータ２１及び２５と、制御信号Ｓ２に基づいてミラー制御ボード１３を回動させてミラー１２を移動させるミラー制御モータ２２と、制御信号Ｓ３に基づいて出射開口４を開閉させる開閉モータ２３と、制御信号Ｓ４に基づいて反射型スクリーン５を上下させる反射型スクリーン移動モータ２４とが設けられる。
【００５４】
背面投射方式に設定されているときには、図３（Ａ）に示すように、透過型スクリーン移動モータ２１及び２５により、透過型スクリーン３が露呈されるように、箱体２が上方に移動される。また、ミラー制御モータ２２により、図４（Ａ）に示すように、ミラー１２が光路から外れるように、ミラー制御ボード１３がＡ１に示す方向に回転される。また、開閉モータ２３により、出射開口４が閉塞される。また、反射型スクリーン移動モータ２４により、反射型スクリーン５が収納される。このときには、図３（Ａ）に示すように、プロジェクタ８からの光は、ミラー１１で反射され、透過型スクリーン３に向けて投射される。
【００５５】
フロント投射方式に設定されると、図３（Ｂ）に示すように、透過型スクリーン移動モータ２１及び２５により、透過型スクリーン３が収納される。また、図４（Ｂ）に示すように、ミラー制御モータ２２により、ミラー１１からの光をミラー１２が反射するように、ミラー制御ボード１３がＡ２に示す方向に回転される。また、開閉モータ２３により、出射開口４が開かれる。また、反射型スクリーン移動モータ２４により、反射型スクリーン５が上方に引き延ばされる。このときには、図３（Ｂ）に示すように、プロジェクタ８からの光は、ミラー１１で反射され、更にミラー１２で反射され、透過型スクリーン３に向けて投射される。
【００５６】
図６は、出射開口４の開閉機構を示す上面図である。図６に示すように、出射開口４を覆う蓋体３１が開閉自在に設けられる。蓋体３１は、開閉モータ２３により開閉される。背面投射方式に設定されているときには、図６（Ａ）に示すように、開閉モータ２３により蓋体３１が閉じられ、出射開口４が蓋体３１により密閉され、光が漏れることが防止される。フロント投射方式に設定されると、図６（Ｂ）に示すように、開閉モータ２３により蓋体３１が開けられ、出射開口４が露呈される。これにより、出射開口４からの光が反射型スクリーン５に導かれる。
【００５７】
図７は、反射型スクリーン５の上下機構を示すものである。反射型スクリーン５は、スクリーン部３３を巻き付けて収納される。反射型スクリーン５には、スクリーン部３３を上方に広げるための反射型スクリーン移動モータ２４が設けられている。背面投射方式に設定されているときには、図７（Ａ）に示すように、ローラ３２にスクリーン部３３を巻き付けて収納される。フロント投射方式に設定されると、図７（Ｂ）に示すように、反射型スクリーン移動モータ２４によりスクリーン部３３が引き出される。
【００５８】
なお、図８に示すように、スクリーン部３３に本体から赤外線で送られてくる制御信号を受信するための受光部３４を設け、反射型スクリーン５を赤外線リモートコントローラ６２からの赤外線コマンド信号により、直接制御するようにしても良い。
【００５９】
なお、この実施形態では、反射型スクリーン５は本体と一体化されている。反射型スクリーン５と本体とを一体化した場合、各種の補正データとして工場出荷時のものを用いることができる。
【００６０】
また、図３に示したように、プロジェクタ８のフォーカス／ズームを調整するフォーカス／ズーム調整モータ２６や、プロジェクタ８の光源を切り換える光源切換モータ２７や、ミラー１１の角度を調整するためのミラー調整モータ２８が設けられる。背面投射方式かフロント投射方式かに応じて、フォーカス／ズーム調整モータ２６により、フォーカス／ズームが調整される。また、背面投射方式かフロント投射方式かに応じて、光源切換モータ２７により、プロジェクタ８の光源が切り換えられる。また、背面投射方式かフロント投射方式かに応じて、ミラー調整モータ２８により、ミラー１１の角度が調整される。
【００６１】
図９は、フォーカス／ズームの調整機構を示すものである。背面投射方式に設定したときと、フロント投射方式に設定したときとでは、光路長が異なるため、フォーカスとズームとにずれが生じる。そこで、背面投射方式に設定したときと、フロント投射方式に設定したときとに応じて、フォーカスやズームの調整をし直す必要がある。図９に示すフォーカス／ズームの調整機構は、フォーカスやズームの調整をし直すためのものである。図９において、撮像光学系３５の調整を行うフォーカス／ズーム調整用のモータ２６が設けられる。背面投射方式に設定したときと、フロント投射方式に設定したときとに応じて、フォーカス／ズーム調整モータ２６が回転され、最適なフォーカス／ズームに調整される。
【００６２】
なお、背面投射方式に設定したとき及びフロント投射方式に設定したときの最適なフォーカス／ズーム調整量は、予め工場出荷時に設定され、その調整量が例えばメモリ６４に記憶される。また、赤外線リモートコントローラ６２を操作して、ユーザが任意に調整して、その調整値を保存することができる。
【００６３】
図１０は、プロジェクタ８の光源の切り換え機構を示すものである。背面投射方式に設定したときと、フロント投射方式に設定したときとでは、画面の大きさが異なるため、画面の明るさが異なってくる。また、フロント投射方式に設定したときには、外光の影響を受ける。このため、フロント投射方式に設定したときとには、背面投射方式に設定したときに比べて、明るさが大きくなるように、プロジェクタ８の光源を切り換えることが望まれる。
【００６４】
図１０において、照明装置４４には、２つの光源４５ａ、４５ｂ及び反射傘４６ａ、４６ｂが設けられると共に、光源切換モータ２７が設けられる。光源４５ｂは光源４５ａより大きな発光量のものである。背面投射方式に設定されているときには、光源４５ａが光源となる。フロント投射方式に設定されると、光源切換モータ２７により光源が移動され、より発光量の大きい光源４５ｂに切り換えられる。なお、３５は撮像光学系、４２は空間変調部である。
【００６５】
図１０の例では、発光量の異なる２つの光源４５ａ、４５ｂを移動させて、光源を切り換えているが、１つの光源４５に印加する電圧を切り換えて、発光量を切り換えるようにしても良い。
【００６６】
また、図１０の例では、発光量の異なる２つの光源４５ａ、４５ｂをモータで移動させて、光源を切り換えているが、図１１に示すように、光源４５ａ、４５ｂからの光をレンズ４７ａ、４７ｂで集光させ、ミラー４８のミラー面４８ａ、４８ｂにより反射させることにより、光量を増減させるようにしても良い。例えば、背面投射方式に設定されているときには、光源４５ａ、光源４５ｂのうちの一方を点灯させる。フロント投射方式に設定されているときには、光源４５ａ及び光源４５ｂの双方を点灯させ、光源４５ａの光と光源４５ｂの光をミキシングする。また、このような構成とすると、光源の寿命が来たときの予備光源を得ることができる。
【００６７】
なお、背面投射方式に設定したとき及びフロント投射方式に設定したときの最適な光源の光量は、予め工場出荷時に設定され、その調整量が例えばメモリ６４に記憶される。また、赤外線リモートコントローラ６２を操作して、ユーザが任意に調整して、その調整値を保存することができる。
【００６８】
また、背面投射方式に設定されたかフロント投射方式に設定されたかに応じて、画質調整や音質調整の設定値が色・輝度補正部５７にて切り換えられる。すなわち、背面投射方式のときには、ニュース等を映出したときに最適となるように、色彩や輝度の調整パラメータが設定され、フロント投射方式に設定したときには、映画を映出したときに最適となるように、色彩や輝度の調整パラメータが設定される。また、背面投射方式のときには、ニュース等を映出したときに最適となるように、音質やサラウンドの調整パラメータが設定され、フロント投射方式に設定したときには、映画を映出したときに最適となるように、音質やサラウンドの調整パラメータが設定される。
【００６９】
なお、背面投射方式に設定したとき及びフロント投射方式に設定したときの最適な画質調整や音質調整の調整値は、予め工場出荷時に設定され、その調整量が例えばメモリ６４に記憶される。また、赤外線リモートコントローラ６２を操作して、ユーザが任意に調整して、その調整値を保存することができる。
【００７０】
また、背面投射方式のときには、例えば（４：３）のアスペクト比に設定される。フロント投射方式に設定されると、画像音声処理部５５のアスペクト比変換部５６により、（４：３）から（１６：９）へのアスペクト比の変換が行われる。すなわち、映画を再生するときのように、大画面で迫力のある画像をフロント投射方式で映出するときには、アスペクト比が（１６：９）に設定される。ニュースやバラエティ番組を背面投射方式で映出するときには、アスペクト比が（４：３）に設定される。
【００７１】
なお、背面投射方式に設定したとき及びフロント投射方式に設定したときのアスペクト比は、予め工場出荷時に設定され、その調整量が例えばメモリ６４に記憶される。また、赤外線リモートコントローラ６２を操作して、ユーザが任意のアスペクト比に調整して、その調整値を保存することができる。
【００７２】
図１２は、本発明の第２の実施形態を示すものである。前述の第１の実施形態では、透過型スクリーン３と反射型スクリーン５との間に光路選択部９が設けられ、この光路選択部９により相対する方向に光路を切り換えることで、背面投射方式とフロント投射方式とを選択するようにしている。これに対して、この実施形態では、図１２に示すように、透過型スクリーン３と反射型スクリーン５との間にあるプロジェクタ８の投射方向を、背面投射方式とフロント投射方式とに応じて回転させるようにしている。他の構成については、前述の第１の実施形態と同様である。
【００７３】
図１２（Ａ）に示すように、透過型スクリーン３と反射型スクリーン５との間にプロジェクタ８が配置され、このプロジェクタ８がプロジェクタ回転機構８１により背面投射方式とフロント投射方式とに応じて回転される。背面投射方式のときには、プロジェクタ８が前方上を向くように配置される。このときには、図１２（Ａ）に示すように、プロジェクタ８からの光が透過型スクリーン３の背面に投射され、透過型スクリーン３に画像が映出される。
【００７４】
フロント投射方式に切り換えると、図１２（Ｂ）に示すように、プロジェクタ８が後方上を向くように回転される。プロジェクタ８が後方上を向くように回転されると、図１２（Ｂ）に示すように、プロジェクタ８からの光が出射開口４を介して、反射型スクリーン５の前面に投射され、反射型スクリーン５に画像が映出される。
【００７５】
このように、プロジェクタ８を回転させて背面投射方式とフロント投射方式とに切り換えるようにした場合、フロント投射方式に設定したときに透過型スクリーン３に映出される画面も、背面投射方式に設定したときに反射型スクリーン５に映出される画面も、視聴者１０からは同方向になる。このため、図１２（Ａ）及び図１２（Ｂ）に示すように、視聴者１０は、背面投射方式のときにも、フロント投射方式のときにも、同一方向から画像を見ることができ、視聴者が振り返ったり、装置の位置を変更したりする必要はない。
【００７６】
図１３は、本発明の第３の実施形態を示すものである。前述の実施形態では、反射型スクリーン５を本体と一体化している。これに対して、この実施形態では、反射型スクリーン５を本体と別体とし、反射型スクリーン５を本体の近傍に置くようにしている。他の構成については、前述の実施の形態と同様であるので、その説明を省略する。
【００７７】
この実施形態では、反射型スクリーン５と本体とが別体とされている。このため、各ユーザの環境に合わせて、反射型スクリーンを選ぶことができるという利点がある。
【００７８】
本発明の要旨を逸脱しない範囲内で様々な変形や応用が可能である。
【産業上の利用可能性】
【００７９】
本発明は、テレビジョン放送や、ＤＶＤプレーヤの再生画像を映出する画像投射システムに用いて好適である。
【図面の簡単な説明】
【００８０】
【図１】本発明の第１の実施形態の投射型表示システムの全体構成を示す斜視図である。
【図２】本発明の第１の実施形態の投射型表示システムにおける光路切り換えの説明図である。
【図３】本発明の第１の実施形態の投射型表示システムの内部構成を示す断面図である。
【図４】本発明の第１の実施形態の投射型表示システムにおけるミラーの制御機構の説明に用いる上面断面図である。
【図５】本発明の第１の実施形態の投射型表示システムの構成を示すブロック図である。
【図６】本発明の第１の実施形態の投射型表示システムにおける出射開口の開閉機構の説明に用いる上面図である。
【図７】本発明の第１の実施形態の投射型表示システムにおける反射型スクリーンの上下機構の説明に用いる斜視図である。
【図８】本発明の第１の実施形態の投射型表示システムにおける反射型スクリーンの他の例の説明に用いる斜視図である。
【図９】本発明の第１の実施形態の投射型表示システムにおけるフォーカス／ズーム調整機構の説明図である。
【図１０】本発明の第１の実施形態の投射型表示システムにおける光源切換機構の一例の斜視図である。
【図１１】本発明の第１の実施形態の投射型表示システムにおける光源切換機構の他の例の説明図である。
【図１２】本発明の第２の実施形態の投射型表示システムにおけるプロジェクタの回転の説明図である。
【図１３】本発明の第３の実施形態の投射型表示システムの全体構成を示す斜視図である。
【符号の説明】
【００８１】
１  箱体
３  透過型スクリーン
４  出射開口
５  反射型スクリーン
８  プロジェクタ
９  光路選択部
１１、１２  ミラー
６１  制御部
６２  赤外線リモートコントローラ
【図１】
2006133273.tif 000003
【図２】
2006133273.tif 000004
【図３】
2006133273.tif 000005
【図４】
2006133273.tif 000006
【図５】
2006133273.tif 000007
【図６】
2006133273.tif 000008
【図７】
2006133273.tif 000009
【図８】
2006133273.tif 000010
【図９】
2006133273.tif 000011
【図１０】
2006133273.tif 000012
【図１１】
2006133273.tif 000013
【図１２】
2006133273.tif 000014
【図１３】
2006133273.tif 000015